(57)【要約】【課題】相関の高い既知系列が存在する環境でも高精度にユニークワードを検出する同期検出回路を得ること。【解決手段】本発明にかかる同期検出回路は、１シンボル遅延検波結果とユニークワードの相関値を求め、相関値が所定の値を超えたタイミングを同期タイミング候補として検出する候補検出手段（１シンボル遅延検波部２１，硬判定相関部２２，ＵＷ検出判定部２３）、第１および第２のシンボル遅延量での遅延検波を行い、各検波結果とユニークワードの相関値を求め、各相関値に基づいて、同期タイミング候補を判定するための指標を生成する判定指標生成手段（Ｍ1シンボル遅延検波部２４−１，Ｍ2シンボル遅延検波部２４−２，硬判定相関部２５−１および２５−２，相関値加算部２６）、指標に基づいて同期タイミング候補の中からフレーム同期タイミングを選択するタイミング判定手段、を備える。【選択図】        図２
2010154107.tif 000002
【特許請求の範囲】
【請求項１】
通信システムにおいて、受信信号に含まれるユニークワードを用いてフレーム同期タイミングを検出する同期検出回路であって、
入力信号の１シンボル遅延検波結果とユニークワードの相関値を求め、求めた相関値が所定の値を超えたタイミングを同期タイミング候補として検出する候補検出手段と、
前記入力信号に対し、第１のシンボル遅延量での遅延検波および第２のシンボル遅延量での遅延検波を行い、得られた各検波結果とユニークワードの相関値をそれぞれ求め、求めた各相関値に基づいて、前記同期タイミング候補を判定するための指標を生成する判定指標生成手段と、
前記指標に基づいて、前記同期タイミング候補の中からフレーム同期タイミングを選択するタイミング判定手段と、
を備えることを特徴とする同期検出回路。
【請求項２】
通信システムにおいて、受信信号に含まれるユニークワードを用いてフレーム同期タイミングを検出する同期検出回路であって、
入力信号の１シンボル遅延検波結果の硬判定値とユニークワードの相関値を求め、求めた相関値が所定の値を超えたタイミングを同期タイミング候補として検出する候補検出手段と、
前記入力信号に対し、それぞれ異なる３つ以上のシンボル遅延量での遅延検波を行い、得られた各検波結果とユニークワードの相関値をそれぞれ求め、求めた各相関値に基づいて、前記同期タイミング候補を判定するための指標を生成する判定指標生成手段と、
前記指標に基づいて、前記同期タイミング候補の中からフレーム同期タイミングを選択するタイミング判定手段と、
を備えることを特徴とする同期検出回路。
【請求項３】
前記タイミング判定手段は、前記同期タイミング候補のうち、前記指標が最大となるタイミングに対応するタイミング候補をフレーム同期タイミングとして選択することを特徴とする請求項１または２に記載の同期検出回路。
【請求項４】
前記判定指標生成手段が生成する指標を、前記各相関値の加算結果とすることを特徴とする請求項１、２または３に記載の同期検出回路。
【請求項５】
前記候補検出手段および前記判定指標生成手段は、前記各遅延検波結果の硬判定値を用いて前記各相関値を求めることを特徴とする請求項１〜４のいずれか一つに記載の同期検出回路。
【請求項６】
前記判定指標生成手段は、前記各遅延検波結果の軟判定値を用いて前記各相関値を求めることを特徴とする請求項１〜４のいずれか一つに記載の同期検出回路。
【請求項７】
通信システムにおいて、受信信号に含まれるユニークワードを用いてフレーム同期タイミングを検出する場合の同期検出方法であって、
入力信号の１シンボル遅延検波結果とユニークワードの相関値を求め、求めた相関値が所定の値を超えたタイミングを同期タイミング候補として検出する候補検出ステップと、
前記入力信号に対し、第１のシンボル遅延量での遅延検波および第２のシンボル遅延量での遅延検波を行い、得られた各検波結果とユニークワードの相関値をそれぞれ求め、求めた各相関値に基づいて、前記同期タイミング候補を判定するための指標を生成する判定指標生成ステップと、
前記指標に基づいて、前記同期タイミング候補の中からフレーム同期タイミングを選択するフレーム同期タイミング検出ステップと、
を含むことを特徴とする同期検出方法。
【請求項８】
通信システムにおいて、受信信号に含まれるユニークワードを用いてフレーム同期タイミングを検出する場合の同期検出方法であって、
入力信号の１シンボル遅延検波結果とユニークワードの相関値を求め、求めた相関値が所定の値を超えたタイミングを同期タイミング候補として検出する候補検出ステップと、
前記入力信号に対し、それぞれ異なる３つ以上のシンボル遅延量での遅延検波を行い、得られた各検波結果とユニークワードの相関値をそれぞれ求め、求めた各相関値に基づいて、前記同期タイミング候補を判定するための指標を生成する判定指標生成ステップと、
前記指標に基づいて、前記同期タイミング候補の中からフレーム同期タイミングを選択するフレーム同期タイミング検出ステップと、
を含むことを特徴とする同期検出方法。
【請求項９】
前記フレーム同期タイミング検出ステップでは、前記同期タイミング候補のうち、前記指標が最大となるタイミングに対応するタイミング候補をフレーム同期タイミングとして選択することを特徴とする請求項７または８に記載の同期検出方法。
【請求項１０】
前記判定指標生成ステップで生成する指標を、前記各相関値の加算結果とすることを特徴とする請求項７、８または９に記載の同期検出方法。
【請求項１１】
前記候補検出ステップおよび前記判定指標生成ステップでは、前記各遅延検波結果の硬判定値を用いて前記各相関値を求めることを特徴とする請求項７〜１０のいずれか一つに記載の同期検出方法。
【請求項１２】
前記候補検出ステップおよび前記判定指標生成ステップでは、前記各遅延検波結果の軟判定値を用いて前記各相関値を求めることを特徴とする請求項７〜１０のいずれか一つに記載の同期検出方法。
【請求項１３】
請求項１〜６のいずれか一つに記載の同期検出回路、
を備えることを特徴とする受信装置。
【発明の詳細な説明】
【技術分野】
【０００１】
本発明は、無線通信において、既知パターンを用いてフレーム同期を獲得する同期検出回路、同期検出方法および受信装置に関する。
【背景技術】
【０００２】
従来、既知パターンを用いてフレーム同期をとる場合には、たとえば下記特許文献１に記載されているような手法を利用していた。
【０００３】
具体的には、特許文献１に記載されたユニークワード検出器は、入力信号を遅延検波する第１の遅延検波器と、装置内で発生させた既知パターン（ユニークワード）を遅延検波する第２の遅延検波器とを備え、各遅延検波器からの出力信号の相互相関値を電力変換し、その最大値を検出することによりユニークワード検出を行っている。
【０００４】
【特許文献１】特開平５−１６７６３０号公報
【発明の開示】
【発明が解決しようとする課題】
【０００５】
しかしながら、特許文献１に記載のユニークワード検出器のような、送信系列中に挿入されたユニークワードに関する相関を用いてフレーム同期を獲得する回路の場合、相関の高い既知系列が存在するシステムではユニークワードの誤検出が増大する、という問題があった。
【０００６】
例えば、第１のユニークワード（ＵＷ＃１）「０１０１１０１００１００１０１１１１００」およびこれを反転させた第２のユニークワード（ＵＷ＃２）「１０１００１０１１０１１０１００００１１」を採用しているシステムの場合、図１１に示したように、ＵＷ＃２を４ビット遅延させるとＵＷ＃１との差異が２ビットとなり、相関が高くなる。そのため、相関ピークがＵＷ＃１とＵＷ＃２のタイミングにて発生し、ユニークワード誤検出が発生するので、通信品質が劣化する。
【０００７】
本発明は、上記に鑑みてなされたものであって、相関の高い既知系列が存在する環境でも高精度にユニークワードを検出する同期検出回路、同期検出方法および受信装置を得ることを目的とする。
【課題を解決するための手段】
【０００８】
上述した課題を解決し、目的を達成するために、本発明は、通信システムにおいて、受信信号に含まれるユニークワードを用いてフレーム同期タイミングを検出する同期検出回路であって、入力信号の１シンボル遅延検波結果とユニークワードの相関値を求め、求めた相関値が所定の値を超えたタイミングを同期タイミング候補として検出する候補検出手段と、前記入力信号に対し、第１のシンボル遅延量での遅延検波および第２のシンボル遅延量での遅延検波を行い、得られた各検波結果とユニークワードの相関値をそれぞれ求め、求めた各相関値に基づいて、前記同期タイミング候補を判定するための指標を生成する判定指標生成手段と、前記指標に基づいて、前記同期タイミング候補の中からフレーム同期タイミングを選択するタイミング判定手段と、を備えることを特徴とする。
【発明の効果】
【０００９】
この発明によれば、ユニークワードと相関の高い既知系列が含まれる信号が入力された場合であっても、ユニークワードを高精度に検出することができる、という効果を奏する。
【発明を実施するための最良の形態】
【００１０】
以下に、本発明にかかる同期検出回路、同期検出方法および受信装置の実施の形態を図面に基づいて詳細に説明する。なお、この実施の形態によりこの発明が限定されるものではない。
【００１１】
実施の形態１．
図１は、本発明にかかる同期検出回路を備えた受信装置の実施の形態１の構成例を示す図である。この受信装置は、アンテナ１０、受信部１１、復調部１２およびタイミング同期部１３を備え、タイミング同期部１３が同期検出回路を構成する。
【００１２】
この受信装置において、アンテナ１０は、ユニークワードが含まれる信号を受信する。受信部１１は、アンテナ１０から受け取った受信信号に対し、周波数変換、低雑音増幅、帯域制限などの処理を実行し、その結果得られたベースバンド信号を復調部１２に対して出力する。復調部１２は、周波数同期およびビットタイミング再生を行い、得られた信号Ｒ(ｔ)をタイミング同期部１３に対して出力する。タイミング同期部１３は、入力信号に基づいてタイミング同期を獲得する。
【００１３】
図２は、タイミング同期部１３の構成例を示す図である。タイミング同期部１３は、ユニークワード（以下、ＵＷと記載する）同期検出を行うための構成として、１シンボル遅延検波部２１と、硬判定相関部２２と、ＵＷ検出判定部２３とを備え、また、タイミング判定を行うための構成として、Ｍ1シンボル遅延検波部２４−１と、Ｍ2シンボル遅延検波部２４−２と、硬判定相関部２５−１および２５−２と、相関値加算部２６と、タイミング判定部２７とを備える。
【００１４】
以下、本実施の形態の同期検出回路（タイミング同期部１３）の動作について図２を用いて説明する。なお、本実施の形態の同期検出回路においては、１シンボル遅延検波部２１と、硬判定相関部２２と、ＵＷ検出判定部２３とが候補検出手段を構成し、また、Ｍ1シンボル遅延検波部２４−１と、Ｍ2シンボル遅延検波部２４−２と、硬判定相関部２５−１および２５−２と、相関値加算部２６とが判定指標生成手段を構成する。
【００１５】
復調部１２から信号Ｒ(ｔ)が入力された場合、タイミング同期部１３では、まず、入力信号Ｒ(ｔ)が各遅延検波部（１シンボル遅延検波部２１，Ｍ1シンボル遅延検波部２４−１，Ｍ2シンボル遅延検波部２４−２）に入力され、各遅延検波部が遅延検波を行う。
【００１６】
図３は、タイミング同期部１３が備えている各遅延検波部（１シンボル遅延検波部２１，Ｍ1シンボル遅延検波部２４−１，Ｍ2シンボル遅延検波部２４−２）の構成例を示す図であり、これらの各遅延検波部は、Ｎシンボル遅延部３１、複素共役生成部３２および乗算器３３を備える。
【００１７】
各遅延検波部において、Ｎシンボル遅延部３１は、入力信号Ｒ(ｔ)に対してＮシンボルの遅延を与える。Ｎシンボル遅延された信号は複素共役生成部３２に渡され、複素共役生成部３２は、遅延が与えられた入力信号の複素共役を生成する。乗算器３３は、入力信号Ｒ(ｔ)に対して複素共役生成部３２で生成された複素共役を乗算し、遅延検波部出力信号Ｄn(ｔ)を生成する。
【００１８】
遅延検波部ごとの具体的な動作を説明すると、１シンボル遅延検波部２１では、Ｎシンボル遅延部３１が入力信号Ｒ(ｔ)に対して１シンボルの遅延を与え、その複素共役を複素共役生成部３２が生成する。そして、乗算器３３が、複素共役生成部３２で生成された複素共役を入力信号Ｒ(ｔ)に対して複素乗算し、得られた１シンボル遅延検波結果Ｄ0(ｔ)を出力する。同様に、Ｍ1シンボル遅延検波部２４−１では、Ｎシンボル遅延部３１が入力信号Ｒ(ｔ)に対してＭ1シンボルの遅延を与え、複素共役生成部３２で生成された複素共役と入力信号Ｒ(ｔ)を乗算器３３で複素乗算し、得られたＭ1シンボル遅延検波結果Ｄ1(ｔ)を出力する。また、Ｍ2シンボル遅延検波部２４−２では、Ｎシンボル遅延部３１が入力信号Ｒ(ｔ)に対してＭ2シンボルの遅延を与え、複素共役生成部３２で生成された複素共役と入力信号Ｒ(ｔ)を乗算器３３で複素乗算し、得られたＭ2シンボル遅延検波結果Ｄ2(ｔ)を出力する。ここでＭ1≠Ｍ2である。
【００１９】
各遅延検波部から出力された出力信号（Ｄ0(ｔ)，Ｄ1(ｔ)，Ｄ2(ｔ)）は、後段の硬判定相関部２２、２５−１および２５−２へ各々入力され、各硬判定相関部は、入力信号の硬判定を行い、さらに、得られた硬判定結果とＵＷとの相関値を算出する。
【００２０】
一例として、変調方式がπ／４−ＤＱＰＳＫ（Differential  Quadrature  Phase  Shift  Keying）の場合の硬判定相関部ごとの具体的な動作を説明すると、硬判定相関部２２では、まず、入力信号（１シンボル遅延検波結果Ｄ0(ｔ)）を象限判定することにより硬判定を行い、次に、ＵＷ検出範囲内の各タイミングにおいて硬判定値（硬判定結果）とＵＷの相関をとる。硬判定相関は、例えば１シンボル遅延検波結果Ｄ0(ｔ)の硬判定に対応するユニークワード期待値Ｗ0(τ)をあらかじめ計算しておき、硬判定値とＷ0(τ)との一致ビット数を算出してビット相関をとる。そして、得られた相関結果Ｃ0(ｔ)をＵＷ検出判定部２３へ出力する。同様に、硬判定相関部２５−１では、Ｍ1シンボル遅延検波結果Ｄ1(ｔ)の硬判定に対応するユニークワード期待値Ｗ1(τ)とＤ1(ｔ)の硬判定値の相関をとり、得られた相関結果Ｃ1(ｔ)を相関値加算部２６へ出力する。また、硬判定相関部２５−２では、Ｍ2シンボル遅延検波結果Ｄ2(ｔ)の硬判定に対応するユニークワード期待値Ｗ2(τ)とＤ2(ｔ)の硬判定値の相関をとり、得られた相関結果Ｃ2(ｔ)を相関値加算部２６へ出力する。
【００２１】
ＵＷ検出判定部２３は、図４に示したように、硬判定相関部２２から入力された相関値Ｃ0(ｔ)をあらかじめ設定してある閾値と比較し、検索範囲（ＵＷ検出範囲）において閾値を越えた全ての相関値のタイミングをＵＷ検出タイミングとして、タイミング判定部２７へ出力する。なお、図４は、ＵＷ検出判定部２３によるＵＷ検出動作の一例を示した図である。
【００２２】
相関値加算部２６は、硬判定相関部２５−１から受け取った相関結果Ｃ1(ｔ)と硬判定相関部２５−２から受け取った相関結果Ｃ2(ｔ)を加算することにより、後段のタイミング判定部２７がタイミング判定で使用する指標を作成する。相関値加算結果はタイミング判定部２７へ出力される。
【００２３】
タイミング判定部２７は、ＵＷ検出判定部２３からの入力（ＵＷ検出タイミング）と相関値加算部２６からの入力（相関値加算結果）に基づいてタイミング判定を行う。具体的には、ＵＷ検出判定部２３にて検出された全てのＵＷ検出タイミングのうち相関値加算部２６から入力された相関値加算結果が最大となるタイミングに対応するＵＷ検出タイミングを選択し、最終的なＵＷ検出タイミング（ＵＷタイミング）として出力する。
【００２４】
タイミング判定部２７の動作例を図５および図６を用いて説明する。図５は、タイミング判定部２７におけるタイミング選択方法を示した図である。ここでは、一例として、Ｍ1＝１（シンボル）とし、Ｍ1シンボル遅延検波部２４−１を１シンボル遅延検波部、Ｍ2＝２（シンボル）とし、Ｍ2シンボル遅延検波部２４−２を２シンボル遅延検波部とした場合について説明を行う。なお、図６は、ＵＷおよびＵＷの遅延検波結果の一例を示す図である。図６に示したＵＷ（正転）を使用するシステムにおいて、相関の高い反転ＵＷが存在した場合、Ｍ1シンボル遅延検波部２４−１における１シンボル遅延検波の硬判定結果についての相関値算出結果（Ｃ1(ｔ)）では正転ＵＷタイミングと反転ＵＷタイミングの２つタイミングで相関ピークが発生する（図５「１シンボル遅延検波相関値」参照）。しかし、図６に示した２シンボル遅延検波（２シンボル遅延検波結果の硬判定値）の正転ＵＷと反転ＵＷは相関が低いため、Ｍ2シンボル遅延検波部２４−２における２シンボル遅延検波の硬判定結果についての相関値算出結果（Ｃ2(ｔ)）では正転ＵＷタイミングのみで相関ピークが発生する（図５「２シンボル遅延検波相関値」参照）。したがって、図５に示したように、これらの二つの相関値を加算し検索範囲内で最大となるタイミングを選択することにより正しくＵＷタイミングを選択することができる。
【００２５】
なお、上記の説明では１シンボル遅延検波と２シンボル遅延検波を利用する場合の例について示したが、遅延シンボル数はこの組み合わせに限ったものではなく、任意の複数の遅延シンボル数（ただし、Ｍ1シンボル遅延検波部２４−１とＭ2シンボル遅延検波部２４−２では異なる遅延シンボル数を採用する）での遅延検波結果を用いることによりＵＷ誤検出確率を下げることが可能である。
【００２６】
このように、本実施の形態の同期検出回路では、入力信号の遅延検波結果の硬判定値とＵＷの相関値を利用してＵＷタイミングの候補（ＵＷ検出タイミング）を検出し、また、入力信号に対してそれぞれ異なるシンボル数の遅延を与えて得られた複数（２つ）の遅延信号を用いて入力信号を遅延検波し、得られた各信号の硬判定値とＵＷとの相関値をそれぞれ算出し、算出したすべての相関値を加算して、タイミング判定で使用する指標を作成する。そして、この指標を用いて、上記検出したＵＷタイミングの候補の中から最終的なＵＷ検出タイミングを選択することとした。これにより、相関の高いビット反転したＵＷが存在するシステムにおいても、ＵＷ不検出確率を下げずに反転ＵＷによる誤検出の発生確率を下げることができる。また、反転ＵＷに限らず相関の高いＵＷが存在するシステムにおいても同様に誤検出確率を下げることができる。
【００２７】
実施の形態２．
つづいて実施の形態２の同期検出回路について説明する。本実施の形態においては、実施の形態１で説明した同期検出回路（タイミング同期部１３）における遅延検波結果の判定および相関を軟判定値によって行う同期検出回路について説明する。なお、本実施の形態の受信装置の構成は実施の形態１と同様である（図１参照）。
【００２８】
図７は、実施の形態２の同期検出回路であるタイミング同期部１３ａの構成例を示す図である。なお、本実施の形態において、先に説明した実施の形態１と同様の構成については、同一の符号を付して説明を省略する。すなわち、タイミング同期部１３ａは、実施の形態１のタイミング同期部１３の硬判定相関部２２、２５−１および２５−２を軟判定相関部４１、４２−１および４２−２に置き換えたものであり、タイミング同期部１３との動作上の違いは、遅延検波結果を軟判定し、得られた軟判定値を用いて相関値を算出することである。
【００２９】
タイミング同期部１３ａの動作について図７を用いて説明する。図示したように、タイミング同期部１３ａにおいては、１シンボル遅延検波部２１、Ｍ1シンボル遅延検波２４−１およびＭ2シンボル遅延検波２４−２から出力された各遅延検波結果Ｄ0(ｔ)、Ｄ1(ｔ)およびＤ2(ｔ)がそれぞれ軟判定相関部４１、４２−１および４２−２へ入力され、軟判定相関部４１、４２−１および４２−２では、入力信号の軟判定相関をとる。
【００３０】
図８は、軟判定相関部４１、４２−１および４２−２の構成例を示す図であり、各軟判定相関部は、ＵＷ生成部５１、複素共役生成部５２、乗算器５３、電力算出部５４およびＵＷ相関値算出部５５を備える。各軟判定相関部では、入力された遅延検波結果（Ｄ0(ｔ)、Ｄ1(ｔ)またはＤ2(ｔ)）に対応するユニークワードをＵＷ発生器５１が生成し、複素共役生成部５２はＵＷ発生器５１で生成されたユニークワードを複素共役信号に変換する。複素共役生成部５２から出力された複素共役信号（Ｗ0(τ)、Ｗ1(τ)またはＷ2(τ)）は乗算器５３において、入力された遅延検波結果と複素乗算され、電力算出部５４は、入力された複素乗算結果を用いて電力値を算出する。算出された電力値はＵＷ相関値算出部５５に入力され、ＵＷ相関値算出部５５は、入力シンボルタイミング毎に各遅延検波に対応するＵＷ区間の相関電力値を積分し、当該タイミングでの軟判定相関値（Ｃ0(ｔ)、Ｃ1(ｔ)またはＣ2(ｔ)を出力する。
【００３１】
なお、ＵＷ生成部５１では、例えばＭ1シンボル遅延検波の場合、ＵＷを複素平面にマッピングした複素信号に変換し、変換結果をＭ1シンボル遅延検波して各遅延検波に対応するユニークワード生成する。
【００３２】
軟判定相関値Ｃ0(ｔ)はＵＷ検出判定部２３に入力され、また、軟判定相関値Ｃ1(ｔ)およびＣ2(ｔ)は相関値加算部２６に入力され、ＵＷ検出判定部２３および相関値加算部２６は、入力された軟判定相関値を用いて、実施の形態１で説明した動作を実行する。
【００３３】
このように、本実施の形態の同期検出回路では、ＵＷ検出判定部２３へ入力させるＣ0(ｔ)を算出する際、およびタイミング判定に用いる指標を作成する相関値加算部２６へ入力させるＣ1(ｔ)，Ｃ2(ｔ)を算出する際に遅延検波結果の軟判定を用いることとした。これにより、相関の高い複数のＵＷが使用されているシステムにおいて、実施の形態１の同期検出回路よりも反転ＵＷによる誤検出の発生確率を下げることができる。
【００３４】
実施の形態３．
つづいて実施の形態３の同期検出回路について説明する。本実施の形態においては、実施の形態１で説明した同期検出回路（タイミング同期部１３）におけるタイミング検出用の指標作成（相関値加算）を行う際に、Ｘ種類（Ｘ＞２）の異なる遅延シンボルの遅延検波結果を用いる同期検出回路について説明する。なお、本実施の形態の受信装置の構成は実施の形態１と同様である（図１参照）。
【００３５】
図９は、実施の形態３の同期検出回路であるタイミング同期部１３ｂの構成例を示す図である。なお、本実施の形態において、先に説明した実施の形態１と同様の構成については、同一の符号を付して説明を省略する。すなわち、タイミング同期部１３ｂは、実施の形態１のタイミング同期部１３が備えていたＭ1シンボル遅延検波部２４−１および硬判定相関部２５−１のペアと同様の構成をＸ個備え、また、相関値加算部２６を相関値加算部２６ｂに置き換えたものである。なお、ＭXシンボル遅延検波部２４−Ｘの構成は、１シンボル遅延検波部２１やＭ1シンボル遅延検波部２４−１、Ｍ2シンボル遅延検波部２４−２と同様である（図３参照）。
【００３６】
タイミング同期部１３ｂの動作について図９を用いて説明する。タイミング同期部１３ｂのＭXシンボル遅延検波部２４−Ｘでは、Ｎシンボル遅延部３１が入力信号Ｒ(ｔ)に対してＸシンボルの遅延を与え、その複素共役を複素共役生成部３２が生成する。そして、乗算器３３が、複素共役生成部３２で生成された複素共役を入力信号Ｒ(ｔ)に対して複素乗算し、得られたＸシンボル遅延検波結果ＤX(ｔ)を出力する。なお、１シンボル遅延検波部２１以外の各シンボル遅延検波部のＮシンボル遅延部３１では、入力信号Ｒ(ｔ)に対し、それぞれ異なるシンボル数の遅延を与える。
【００３７】
また、硬判定相関部２５−Ｘは、硬判定相関部２２、硬判定相関部２５−１および硬判定相関部２５−２と同様に、まず、入力された遅延検波結果の硬判定を行い、次に、得られた硬判定結果とＵＷとの相関値を、ＵＷ検出範囲内の各タイミングにおいて算出し、得られた結果をＭXシンボル遅延検波相関値ＣX(ｔ)として相関値加算部２６ｂへ出力する。相関値加算部２６ｂは、前段の各項判定相関部（硬判定相関部２５−１，２５−２，…，２５−Ｘ）から入力されたすべてのシンボル遅延検波相関値（Ｃ1(ｔ)，Ｃ2(ｔ)，…，ＣX(ｔ)）を加算して、タイミング判定部２７におけるタイミング判定で使用する指標を作成する。
【００３８】
このように、本実施の形態の同期検出回路では、タイミング判定部２７におけるタイミング判定で使用する指標を相関値加算部２６ｂが作成するために、入力信号に対してそれぞれ異なるシンボル数の遅延を与えて得られた３つ以上の遅延信号を用いて入力信号をそれぞれ遅延検波し、得られた各信号の硬判定値とＵＷとの相関値をそれぞれ算出し、算出したすべての相関値を加算して、タイミング判定で使用する指標を作成することとした。これにより、実施の形態１の同期検出回路と同様に、相関の高いビット反転したＵＷが存在するシステムにおける反転ＵＷによる誤検出の発生確率を下げることができる。さらに、タイミング判定の指標となる相関値加算結果において誤ったタイミングでのピークを相対的に下げることが可能となり、実施の形態１で示した、２種類の相関値を加算してタイミング判定の指標を作成する同期検出回路（タイミング同期部１３）を適用した場合と比較して、反転ＵＷによる誤検出の発生確率をさらに下げることができる。また、反転ＵＷに限らず相関の高いＵＷが存在するシステムにおいても同様に誤検出確率を下げることができる。
【００３９】
実施の形態４．
つづいて実施の形態４の同期検出回路について説明する。本実施の形態においては、実施の形態３で説明した同期検出回路（タイミング同期部１３ｂ）における遅延検波結果の判定および相関を軟判定値によって行う同期検出回路について説明する。なお、本実施の形態の受信装置の構成は実施の形態１と同様である（図１参照）。
【００４０】
図１０は、実施の形態４の同期検出回路であるタイミング同期部１３ｃの構成例を示す図である。なお、本実施の形態において、先に説明した実施の形態３と同様の構成については、同一の符号を付して説明を省略する。すなわち、タイミング同期部１３ｃは、実施の形態３のタイミング同期部１３の硬判定相関部２２，２５−１，２５−２，…，２５−Ｘを軟判定相関部４１，４２−１，４２−２，…，４２−Ｘに置き換えたものであり、タイミング同期部１３ｂとの動作上の違いは、遅延検波結果を軟判定し、得られた軟判定値を用いて相関値を算出することである。なお、軟判定相関部４２−Ｘの構成は、他の軟判定相関部４１、４２−１および４２−２と同様である（図８参照）。
【００４１】
このように、本実施の形態の同期検出回路では、ＵＷ検出判定部２３へ入力させるＣ0(ｔ)を算出する際、およびタイミング判定に用いる指標を作成する相関値加算部２６ｂへ入力させる各相関値（Ｃ1(ｔ)，Ｃ2(ｔ)，…，ＣX(ｔ)）を算出する際に遅延検波結果の軟判定を用いることとした。これにより、ＵＷと相関が高い既知系列が使用されているシステムなどにおいて、ＵＷの誤検出発生確率を実施の形態２や３の同期検出回路よりも下げることができる。
【産業上の利用可能性】
【００４２】
以上のように、本発明にかかる同期検出回路は、通信システムの受信装置に有用であり、特に、受信信号に含まれる既知系列を遅延検波して同期を獲得するための回路に適している。
【図面の簡単な説明】
【００４３】
【図１】本発明にかかる同期検出回路を備えた受信装置の実施の形態１の構成例を示す図である。
【図２】タイミング同期部の構成例を示す図である。
【図３】タイミング同期部が備えている各遅延検波部の構成例を示す図である。
【図４】ＵＷ検出判定部によるＵＷ検出動作の一例を示した図である。
【図５】タイミング判定部におけるタイミング選択方法を示した図である。
【図６】ＵＷおよびＵＷの遅延検波結果の一例を示す図である。
【図７】実施の形態２のタイミング同期部の構成例を示す図である。
【図８】軟判定相関部の構成例を示す図である。
【図９】実施の形態３のタイミング同期部の構成例を示す図である。
【図１０】実施の形態４のタイミング同期部の構成例を示す図である。
【図１１】課題を説明するための図である。
【符号の説明】
【００４４】
１０  アンテナ
１１  受信部
１２  復調部
１３、１３ａ、１３ｂ、１３ｃ  タイミング同期部
２１  １シンボル遅延検波部
２２、２５−１、２５−２、２５−Ｘ  硬判定相関部
２３  ＵＷ検出判定部
２４−１  Ｍ1シンボル遅延検波部
２４−２  Ｍ2シンボル遅延検波部
２４−Ｘ  ＭXシンボル遅延検波部
２６、２６ｂ  相関値加算部
２７  タイミング判定部
３１  Ｎシンボル遅延部
３２、５２  複素共役生成部
３３、５３  乗算器
４１、４２−１、４２−２、４２−Ｘ  軟判定相関部
５１  ＵＷ生成部
５４  電力算出部
５５  ＵＷ相関値算出部
【図１】
2010154107.tif 000003
【図２】
2010154107.tif 000004
【図３】
2010154107.tif 000005
【図４】
2010154107.tif 000006
【図５】
2010154107.tif 000007
【図６】
2010154107.tif 000008
【図７】
2010154107.tif 000009
【図８】
2010154107.tif 000010
【図９】
2010154107.tif 000011
【図１０】
2010154107.tif 000012
【図１１】
2010154107.tif 000013